(57)【要約】【課題】車椅子本体に設けた照明手段により周囲の環境を照らすことができ、暗状態での車椅子使用の安全性を高めることができ、かつ、車椅子本体のフレームに弛緩緊締具を抱着取外可能に設け、車椅子本体の使用者が車椅子使用状態にて照明器具の点灯消灯をなし得る位置に操作スイッチを設け、この操作スイッチと照明器具とを電気コードにより電気的に接続しているから、良好な照明を行うことができ、照明効果を高めることができる。【解決手段】車椅子本体１に周囲の環境を照らす照明手段２を設けてなり、照明手段は車椅子本体を構成するフレームＭに抱着取外可能な弛緩緊締具３と、弛緩緊締具に脱着可能な照明器具と、照明器具に電気コード５を介して電気的に接続され、車椅子本体の使用者が車椅子使用状態にて照明器具の点灯消灯をなし得る位置に設けた操作スイッチ６とからなる。【選択図】        図１
0003122932.tif 000002
【実用新案登録請求の範囲】
【請求項１】
車椅子本体に周囲の環境を照らす照明手段を設けてなり、上記照明手段は上記車椅子本体を構成するフレームに抱着取外可能な弛緩緊締具と、該弛緩緊締具に脱着可能な照明器具と、該照明器具に電気コードを介して電気的に接続され、該車椅子本体の使用者が車椅子使用状態にて該照明器具の点灯消灯をなし得る位置に設けた操作スイッチとからなることを特徴とする車椅子。
【請求項２】
上記車椅子本体に周囲に走行状態を認識せしめる信号手段を設けてなることを特徴とする請求項１記載の車椅子。
【請求項３】
上記車椅子本体に周囲に走行状態を認識せしめる音発生手段を設けてなることを特徴とする請求項１又は２記載の車椅子。
【考案の詳細な説明】
【技術分野】
【０００１】
本考案は例えば患者、身体障害者、看護老人用として用いられる車椅子に関するものである。
【背景技術】
【０００２】
従来、この種の車椅子として、車椅子本体に周囲の環境を照らす照明手段を設けてなる構造のものが知られている。
【特許文献１】特開１０−１６５４４４号公報
【考案の開示】
【考案が解決しようとする課題】
【０００３】
しかしながらこれら上記従来構造の場合、上記照明手段は上記車椅子本体に組み込まれて製作されており、照明手段の配設位置の融通性が低下していると共に、照明手段は車椅子本体に固定されており、照明手段の取付け及び脱着が困難なことがあるという不都合を不都合を有している。
【課題を解決するための手段】
【０００４】
本考案はこれらの不都合を解決することを目的とするもので、本考案のうちで、請求項１記載の考案にあっては、車椅子本体に周囲の環境を照らす照明手段を設けてなり、上記照明手段は上記車椅子本体を構成するフレームに抱着取外可能な弛緩緊締具と、該弛緩緊締具に脱着可能な照明器具と、該照明器具に電気コードを介して電気的に接続され、該車椅子本体の使用者が車椅子使用状態にて該照明器具の点灯消灯をなし得る位置に設けた操作スイッチとからなることを特徴とする車椅子にある。
【０００５】
又、請求項２記載の考案は、上記車椅子本体に周囲に走行状態を認識せしめる信号手段を設けてなることを特徴とするものであり、又、請求項３記載の考案は、上記車椅子本体に周囲に走行状態を認識せしめる音発生手段を設けてなることを特徴とするものである。
【考案の効果】
【０００６】
本考案は上述の如く、請求項１記載の考案は、車椅子本体に設けた照明手段により周囲の環境を照らすことができ、暗状態での車椅子使用の安全性を高めることができ、かつ、この照明手段として、車椅子本体のフレームに弛緩緊締具を抱着取外可能に設け、この弛緩緊締具に照明器具を脱着可能に設け、車椅子本体の使用者が車椅子使用状態にて照明器具の点灯消灯をなし得る位置に操作スイッチを設け、この操作スイッチと照明器具とを電気コードにより電気的に接続しているから、車椅子本体から弛緩緊締具を取り外すことができると共に弛緩緊締具から照明器具を取り外すことができ、照明手段の取付け及び脱着を容易に行うことができ、既存の車椅子への照明手段の配設を容易に行うことができ、照明手段の保守保全も容易に行うことができると共に照明手段の配設位置の融通性を高めることができ、良好な照明を行うことができ、照明効果を高めることができる。
【０００７】
又、請求項２記載の考案にあっては、上記車椅子本体に周囲に走行状態を認識せしめる信号手段を設けてなるから、信号手段により周囲に車椅子の存在や使用者の状況等の走行状態を報知認識せしめることができ、車椅子の周囲に走行状態を認識せしめることができ、車椅子使用の安全性を高めることができ、車椅子使用の付加価値を高めることができ、又、請求項３記載の考案にあっては、上記車椅子本体に周囲に走行状態を認識せしめる音発生手段を設けてなるから、音発生手段により周囲に車椅子の走行状態を良好に認識せしめることができ、車椅子使用の安全性を高めることができ、車椅子使用の付加価値を一層高めることができる。
【考案を実施するための最良の形態】
【０００８】
図１乃至図１１は本考案の実施の形態例を示し、図１乃至図８は第一形態例、図９、図１０は第二形態例、図１１は第三形態例である。
【０００９】
図１乃至図８の第一形態例において、１は車椅子本体であって、車椅子本体１は図示省略の折畳機構により折畳展開可能に設けられ、車椅子本体１に座部１ａ、足載部１ｂ、手押部１ｃ、前側の前輪１ｄ及び後側の車輪１ｅが設けられている。
【００１０】
２は照明手段であって、この場合、上記車椅子本体１を構成するパイプ状のフレームＭに抱着取外可能な弛緩緊締具３と、この弛緩緊締具３に脱着可能な照明器具４と、この照明器具４に電気コード５を介して電気的に接続され、車椅子本体１の使用者が車椅子使用状態にて照明器具４の点灯消灯をなし得る位置に設けた操作スイッチ６とからなり、この照明手段２により車椅子本体１の周囲の環境を照らすように構成している。
【００１１】
この場合、図５、図６、図７、図８の如く、合成樹脂製の上記弛緩緊締具３の本体３ａに上記フレームＭに抱着可能な弾性開口可能な割溝３ｓをもつ締付穴３ｂを形成し、この締付穴３ｂの内周面にＣ状の緩衝ゴム３ｃを内装し、本体３の一方部にナット３ｄを固定し、本体３の他方部にナット３ｄに螺着可能なボルト３ｆを挿通し、ボルト３ｆにカムレバー３ｇを起倒自在に取付け、かつ、本体３ａの側面にＨ状のガイド部３ｈを形成し、上記照明器具４の側面にガイド部３ｈに摺動嵌合可能なガイド条部３ｋを形成し、ガイド部３ｈとガイド条部３ｋとを止着可能な図示省略の止着部材を設けて構成している。
【００１２】
しかして、上記フレームＭに弛緩緊締具３の締付穴３ｂの緩衝ゴム３ｃを割溝３ａを介して嵌合し、カムレバー３ｇを回動してボルト３ｆをナット３ｄに螺着して割溝３ｓを狭めて弛緩緊締具３をフレームＭに抱着し、そして、カムレバー３ｇを起立状態から倒伏状態に倒すことによりカムレバー３ｇのカム部３ｊと本体３ａの外周面とによるカム作用により弛緩緊締具３をフレームＭに緊締抱着し、また、これと逆の操作により弛緩緊締具３をフレームＭから取り外し可能に構成している。
【００１３】
又、この弛緩緊締具３の本体３ａのガイド部３ｈとガイド条部３ｋとの摺動嵌合及び図示省略の適宜止着部材により照明器具４を弛緩緊締具３に脱着可能に設けて構成している。
【００１４】
又、上記照明器具４としては、例えば、懐中電灯のように照明器具４に内蔵された乾電池を用いた電球式やＬＥＤ発光式等の白色、着色などの各種の照明構造が用いられる。
【００１５】
又、この場合、上記操作スイッチ６は、車椅子本体１の使用者である看護老人等が車椅子本体の座部１ａに座った使用状態にて照明器具４の点灯消灯をなし得る肘掛部１ｌに設置され、照明器具４と操作スイッチ６とを電気コード５により電気的に接続して構成している。
【００１６】
この実施の第一形態例は上記構成であるから、車椅子本体１に設けた照明手段２により周囲の環境を照らすことができ、暗状態での車椅子使用の安全性を高めることができ、かつ、この照明手段２として、車椅子本体１のフレームＭに弛緩緊締具３を抱着取外可能に設け、この弛緩緊締具３に照明器具４を脱着可能に設け、車椅子本体１の使用者が車椅子使用状態にて照明器具４の点灯消灯をなし得る位置に操作スイッチ６を設け、この操作スイッチ６と照明器具４とを電気コード５により電気的に接続しているから、車椅子本体１から弛緩緊締具３を取り外すことができると共に弛緩緊締具３から照明器具４を取り外すことができ、照明手段の取付け及び脱着を容易に行うことができ、既存の車椅子への照明手段の配設を容易に行うことができ、照明手段２の保守保全も容易に行うことができると共に照明手段２の配設位置の融通性を高めることができ、良好な照明を行うことができ、照明効果を高めることができる。
【００１７】
図９、図１０の第二形態例は別例構造を示し、上記車椅子本体１に周囲に走行状態を認識せしめる信号手段７を設けて構成している。
【００１８】
この場合、信号手段７として、照明手段２の照明器具４の側面に各種の発光色、適宜間隔の光点滅等により車椅子の存在や使用者の状況等のシグナル光を発する信号灯７ａを組み込んで構成されている。
【００１９】
この第二形態例にあっても、上記第一形態例と同様な作用効果を得ることができると共に信号手段７により周囲に車椅子の存在や使用者の状況等の走行状態を報知認識せしめることができ、車椅子の周囲に走行状態を良好に認識せしめることができ、車椅子使用の安全性を高めることができ、車椅子使用の付加価値を高めることができる。
【００２０】
図１１の第三形態例は別例構造を示し、上記第一形態例と略同様な構造となっており、同一態様部分には同符合を付して簡略に説明すると、この場合、上記操作スイッチ６は車椅子本体１の使用者である介護者の使用状態にて照明器具４の点灯消灯をなし得る握持部１ｍに設置され、照明器具４と操作スイッチ６とを電源コード５により電気的に接続して構成している。
【００２１】
この第三形態例にあっても、車椅子本体１の使用者である介護者によってなされることにより上記第一形態例と同様な作用効果を得ることができる。
【００２２】
尚、図示省略しているが、上記車椅子本体１に周囲に走行状態を認識せしめる、例えば、電子音や「車椅子がとおります」等の電子的合成音声音等を発生する音発生器具からなる音発生手段を設けることができる。
【００２３】
この実施の形態例にあっても、上記第一形態例と同様な作用効果を得ることができると共に音発生手段により周囲に車椅子の走行状態を認識せしめることができ、車椅子使用の安全性を高めることができ、車椅子使用の付加価値を高めることができる。
【００２４】
尚、本考案は上記実施の形態例に限られるものではなく、照明器具３の内部構造、弛緩緊締具３、操作スイッチ６の配設位置等は適宜変更して設計される。
【００２５】
以上、所期の目的を充分達成することができる。
【図面の簡単な説明】
【００２６】
【図１】本考案の実施の第一形態例の全体側面図である。
【図２】本考案の実施の第一形態例の全体平面図である。
【図３】本考案の実施の第一形態例の部分正面図である。
【図４】本考案の実施の第一形態例の部分斜視図である。
【図５】本考案の実施の第一形態例の部分平断面図である。
【図６】本考案の実施の第一形態例の部分断面図である。
【図７】本考案の実施の第一形態例の部分側断面図である。
【図８】本考案の実施の第一形態例の部分分離斜視図である。
【図９】本考案の実施の第二形態例の部分正面図である。
【図１０】本考案の実施の第二形態例の部分平断面図である。
【図１１】本考案の実施の第三形態例の全体側面図である。
【符号の説明】
【００２７】
Ｍ  フレーム
１    車椅子本体
２    照明手段
３    弛緩緊締具
４    照明器具
５    電気コード
６    操作スイッチ
７    信号手段
【図１】
0003122932.tif 000003
【図２】
0003122932.tif 000004
【図３】
0003122932.tif 000005
【図４】
0003122932.tif 000006
【図５】
0003122932.tif 000007
【図６】
0003122932.tif 000008
【図７】
0003122932.tif 000009
【図８】
0003122932.tif 000010
【図９】
0003122932.tif 000011
【図１０】
0003122932.tif 000012
【図１１】
0003122932.tif 000013